(57)【要約】【課題】回転翼による定常的な水流以外の別の水流を積極的に発生させることによって、洗濯物の捩れや絡まりを防止する課題を解決し、アタッチメント、すなわち、付属品を取り付けるだけでその目的を達成することができる洗濯機用截頭円錐形アタッチメントを提供する。【解決手段】洗濯槽内に位置し回転翼２を設けた回転翼基盤５に装着するアタッチメントであって、該アタッチメントは、全体形状が中空の截頭円錐形からなり、下部開口７から流出入する水流により発生する空気の流れを抵抗なく出入りさせるための上部開口６と、下部空間１４から流出入する水流を通過させるための下部開口７と、該下部開口に形成され前記アタッチメント１を前記回転翼２に取り付けるためのフランジ４とからなるアタッチメント本体１と、前記回転翼基盤５と前記フランジ４との間に下部空間１４を確保すると共に、アタッチメント本体１内の水位の上下により発生する噴流１５を案内するための間隔維持用回転翼２とを具備したことを特徴とする洗濯機用アタッチメントを構成するものである。【選択図】図１
2005161008.tif 000002
【特許請求の範囲】
【請求項１】
洗濯槽内に位置し回転翼２を設けた回転翼基盤５に装着するアタッチメントであって、該アタッチメントは、全体形状が中空の截頭円錐形からなり、下部開口７から流出入する水流により発生する空気の流れを抵抗なく出入りさせるための上部開口６と、下部空間１４から流出入する水流を通過させるための下部開口７と、該下部開口に形成され前記アタッチメント１を前記回転翼２に取り付けるためのフランジ４とからなるアタッチメント本体１と、前記回転翼基盤５と前記フランジ４との間に下部空間１４を確保すると共に、アタッチメント本体１内の水位の上下により発生する噴流１５を案内するための間隔維持用回転翼２とを具備したことを特徴とする洗濯機用アタッチメント。
【請求項２】
洗濯槽内に位置し回転翼２を設けた回転翼基盤５に装着するアタッチメントであって、該アタッチメントは、全体形状が中空の截頭円錐形からなり、下部開口７から流出入する水流により発生する空気の流れを抵抗なく出入りさせるための上部開口６と、下部空間１４から流出入する水流を通過させるための下部開口７と、該下部開口に形成され、前記アタッチメント１を前記回転翼２に取り付けアタッチメント本体１内の水位の上下により発生する噴流１５を通過させる流通開孔１８を設けたフランジ４付スペーサーリング１７とからなるアタッチメント本体１を具備したことを特徴とする洗濯機用アタッチメント。
【請求項３】
洗濯槽内に位置し回転翼２を設けた回転翼基盤５に装着するアタッチメントであって、該アタッチメントは、全体形状が中空の截頭円錐形からなり、下部開口７から流出入する水流により発生する空気の流れを抵抗なく出入りさせるための上部開口６と、下部空間１４から流出入する水流を通過させるための下部開口７と、該下部開口に形成され前記アタッチメント１を前記回転翼基盤５に取り付けるための内周に螺旋溝を設けたフランジ４付張り出し部とからなるアタッチメント本体１と、前記回転翼基盤５と前記フランジ４との間に下部空間１４を確保すると共に、アタッチメント本体１内の水位の上下により発生する噴流１５を案内するための外周に螺旋溝を設けた円周壁を形成した間隔維持用回転翼２とを具備し、前記張り出し部の螺旋溝と前記円周壁の螺旋溝とを螺合するようにしたたことを特徴とする洗濯機用アタッチメント。
【請求項４】
請求項１ないし請求項３のいずれかに記載された洗濯機用截頭円錐形アタッチメントにおいて、アタッチメント本体１の高さを４０乃至４２ｃｍ程度とし、
上部開口６の直径を２乃至４ｃｍ程度とし、下部開口７の直径を１２乃至１４ｃｍ程度とし、間隔維持用回転翼２の高さ又は流通開孔１８の縦横の大きさを３乃至３．５ｃｍ程度とした洗濯機用アタッチメント。
【請求項５】
請求項１ないし請求項４のいずれかに記載された洗濯機用截頭円錐形アタッチメントにおいて、アタッチメント本体１と円周壁２４を備えた回転翼基盤５とを一体に成形した洗濯機用アタッチメント。
【発明の詳細な説明】
【技術分野】
【０００１】
本発明は、洗濯機に係り、特に洗濯槽内の回転翼基盤に取り付けることによって、洗濯物の捩れや絡まりを防止するためのアタッチメントに関する。
【背景技術】
【０００２】
従来、固定槽形式の洗濯槽内に筒状の回転翼を具備した洗濯機が、特開昭６０−２５３４９０号公報に記載されている。この洗濯機を図５により説明すると、この洗濯機３１は、洗濯槽内の回転翼基盤３２に筒状回転翼３３が取り付けられている。この筒状回転翼３３には、多数の通水小孔３４が穿孔されており、筒状回転翼３３が回転すると遠心力により、筒状回転翼内の洗濯水は、外側に流れるので内側の水位が下がる。この洗濯機３１においては、比較的大きく設定された筒状回転翼内に入れられた洗濯物が押し付け作用を受けるので、筒状回転翼３３の正逆転に伴いこの押し付け作用を繰り返す。しかし、この洗濯機３１の場合には、筒状回転翼３３から洗濯水が出入りするのは、前記したように多数の通水小孔３４からであるため、筒状回転翼３３の外側に存在する洗濯物には全体として緩やかな流れが作用するだけである。つまり、下部に大きな通水孔を設けた場合のように筒状回転翼３３の下部から別の水流が発生して、外側に存在する洗濯物には、回転翼３３による水流以外の積極的な水流が作用するものではない。
【０００３】
また、図６に示す截頭円錐形の回転翼を具備した洗濯機は、特開平３−２７６０９４号公報に記載されている。しかし、この洗濯機４１の回転翼４２は、中実のものであって、空洞がないため、洗濯水４３が内外に流通するものではない。
【０００４】
さらに、図７に示す中空截頭円錐形の回転翼を具備した洗濯機は、特開平６−３１９８９０号公報に記載されている。そして、この洗濯機の回転翼５１には、下部に取水孔５２が穿孔されている。しかし、この取水孔５２は、回転翼５１の内部に設けられた羽根車５３により吸引した洗濯水を回転翼５１の上部より吐出させるにあたり、取水するための小さなものであって、この取水孔５２から逆に水が噴出して洗濯物に積極的な水流が作用ものではない。
【特許文献１】特開昭６０−２５３４９０号公報
【特許文献２】特開平３−２６７０９４号公報
【特許文献３】特開平６−３１９８９０号公報
【発明の開示】
【発明が解決しようとする課題】
【０００５】
上記の従来の洗濯機は、いずれも回転翼の下部から洗濯物の捩れや絡まりを防止するための水流を発生させるものではなかった。また、回転翼を用いる洗濯機は、回転翼による水流以外の水流を発生させにくいので、回転翼による定常的な水流により発生する洗濯物の捩れや絡まりを防止することが困難であった。
本発明は、回転翼による定常的な水流以外の別の水流を積極的に発生させることによって、洗濯物の捩れや絡まりを防止する課題を解決しようとするものである。
【課題を解決するための手段】
【０００６】
請求項１の発明は、洗濯槽内に位置し回転翼２を設けた回転翼基盤５に装着するアタッチメントであって、該アタッチメントは、全体形状が中空の截頭円錐形からなり、下部開口７から流出入する水流により発生する空気の流れを抵抗なく出入りさせるための上部開口６と、下部空間１４から流出入する水流を通過させるための下部開口７と、該下部開口に形成され前記アタッチメント１を前記回転翼２に取り付けるためのフランジ４とからなるアタッチメント本体１と、前記回転翼基盤５と前記フランジ４との間に下部空間１４を確保すると共に、アタッチメント本体１内の水位の上下により発生する噴流１５を案内するための間隔維持用回転翼２とを具備した洗濯機用アタッチメントによって課題を解決するための手段としている。
【０００７】
請求項２の発明は、洗濯槽内に位置し回転翼２を設けた回転翼基盤５に装着するアタッチメントであって、該アタッチメントは、全体形状が中空の截頭円錐形からなり、下部開口７から流出入する水流により発生する空気の流れを抵抗なく出入りさせるための上部開口６と、下部空間１４から流出入する水流を通過させるための下部開口７と、該下部開口に形成され、前記アタッチメント１を前記回転翼２に取り付けアタッチメント本体１内の水位の上下により発生する噴流１５を通過させる流通開孔１８を設けたフランジ４付スペーサーリング１７とからなるアタッチメント本体１によって課題を解決するための手段としている。
【０００８】
請求項３の発明は、洗濯槽内に位置し回転翼２を設けた回転翼基盤５に装着するアタッチメントであって、該アタッチメントは、全体形状が中空の截頭円錐形からなり、下部開口７から流出入する水流により発生する空気の流れを抵抗なく出入りさせるための上部開口６と、下部空間１４から流出入する水流を通過させるための下部開口７と、該下部開口に形成され前記アタッチメント１を前記回転翼基盤５に取り付けるための内周に螺旋溝を設けたフランジ４付張り出し部とからなるアタッチメント本体１と、前記回転翼基盤５と前記フランジ４との間に下部空間１４を確保すると共に、アタッチメント本体１内の水位の上下により発生する噴流１５を案内するための外周に螺旋溝を設けた円周壁を形成した間隔維持用回転翼２とを具備し、前記張り出し部の螺旋溝と前記円周壁の螺旋溝とを螺合するようにした洗濯機用アタッチメントによって課題を解決するための手段としている。
【０００９】
請求項４の発明は、請求項１及び請求項２のいずれかに記載された洗濯機用截頭円錐形アタッチメントにおいて、アタッチメント本体１の高さを４０乃至４２ｃｍ程度とし、上部開口６の直径を２乃至４ｃｍ程度とし、下部開口７の直径を１２乃至１４ｃｍ程度とし、間隔維持用回転翼２の高さ又は流通開孔１８の縦横の大きさを３乃至３．５ｃｍ程度とした洗濯機用截頭円錐形アタッチメントによって課題を解決するための手段としている。
【００１０】
請求項５の発明は、請求項１ないし請求項４のいずれかに記載された洗濯機用截頭円錐形アタッチメントにおいて、アタッチメント本体１と円周壁２４を備えた回転翼基盤５とを一体に成形した洗濯機用截頭円錐形アタッチメントによって課題を解決するための手段としている。
【発明の効果】
【００１１】
本発明は、(１)洗濯物が、回転翼により発生させられる水流とは別のベクトル及びタイミングを有する下部からの噴流に相乗的に曝されることにより、捩れや絡まりが防止することができる。
(２)上記噴流を発生させるにあたり、アタッチメントの形状を截頭円錐形としているため、アタッチメント本体内に存在する水に作用する遠心力を有効に利用できるので、噴流を発生させるための別の駆動原を必要とすることなく、洗濯機本体回転翼基盤の回転を利用するだけで所期の目的を達成できる。
(３)アタッチメントの構造がきわめて単純であり、洗濯機本体回転翼基盤への装着がネジだけで容易にできるから、すでに出荷されて使用状態にある洗濯機にも容易に装着すことができる。
(４)そのため、アタッチメント、すなわち付属品として単体で流通させることもできる。
(５)アタッチメントに少数の小孔を穿孔するだけで、洗剤を均一に攪拌させ水に混合させることができる。
【発明を実施するための最良の形態】
【００１２】
以下、本発明の実施形態を図面に基づいて説明する。第１実施例である図１に示すように、本発明の洗濯機用アタッチメントは、洗濯機本体固定槽６内に設けられた中空の截頭円錐形をしたアタッチメント本体１とその下部に形成されている間隔維持用回転翼２を取り付けるためのフランジ４とからなる。
【００１３】
アタッチメント本体１は、全体形状が中空の截頭円錐形で上部開口６と下部開口７が形成されており、下部開口７は下部空間１４から流出入する水流を通過させるためのものであり、上部開口６は、下部開口７から流出入した水流により発生する空気の流れを抵抗なく出入りさせるためのものであり、２乃至４ｃｍ程度の直径である。下部開口７は、約１２乃至１４ｃｍ程度の直径である。この大きさについては、洗濯機本体の回転翼基盤５の大きさに応じて適宜選択するものとする。また、アタッチメント本体１の下部に取付フランジ４が形成され、アタッチメント本体１の取付フランジ４を回転翼２に適宜数のボルト２０によって取り付ける。洗濯機本体の回転翼基盤５には本体翼３が放射状に形成されている。
なお、アタッチメントは、中空の截頭円錐形をしたアタッチメント本体１とその下部に形成されているフランジ４とフランジ４に取り付けられた間隔維持用回転翼２とからなり、洗濯機本体の回転翼基盤５には本体翼３が放射状に形成されていて、取付フランジ４を本体翼３に適宜数のボルト２０によって取り付けてもよい。
【００１４】
アタッチメント本体１の高さについては、上部開口６が洗濯機本体固定槽９に注水される最高の水位より２乃至３ｃｍ上位の位置になる値が選択される。この値については、家庭用洗濯機の場合においては、４０乃至４２ｃｍ程度であり、あまり大きさに差異がない。
その理由は、家庭用洗濯機は、通常４．２乃至８．０ｋｇ（洗濯槽に収容される洗濯物の濡れた状態の重量）の容量のものが使用されているが、幅及び奥行きについては、容量に比例して変化するが、その高さについては、幅及び奥行きほどは大きな差異がない。必要に応じて小孔８を設けるがその大きさについては、直径１ｃｍ程度のものを一列に４個、４ないし１０列設ける。この小孔８は、それを出入りする水流により洗剤を均一に攪拌させるのに単純な構造にもかかわらずきわめて大きな効果を奏するが、必須のものではない。そして、その大きさ、数及び配置については、上昇流１０及び下降流１１の流れに大きな影響を与えないように選択するのが良好である。
【００１５】
第２実施例である図２に示すアタッチメント本体１には、取付フランジ４を介してスペーサーリング１７が装着されている。回転翼２は、回転翼基盤５の平面から３乃至３．５ｃｍ程度の高さのものである。スペーサーリング１７には、水位の上下により発生する噴流１５を通過させる流通開孔１８を設けている。
【００１６】
また、アタッチメント本体１は、スペーサーリング１７の間に回転翼２を装着するか、又はスペーサーリング１７と本体回転翼基盤５を取り付けて一体となって回転するようにされる。洗濯機本体回転翼基盤５は本体翼３を備えており、洗濯機本体固定槽９内で回転する。
【００１７】
また、図１に示すように、洗濯機本体回転翼基盤５の中心に設けた軸孔に軸２１を装着して軸２１に設けたリング２２をアタッチメント本体１の内面に取り付けるようにしてもよい。
【００１８】
さらに、第３実施例として、図３、図４に基づいて説明する。
図３に示すアタッチメント本体１は、下端にフランジ付張り出し部１９が一体に形成されている。張り出し部１９の内周には、洗濯物の脱水に際して、回転翼基盤５の回転方向にねじ溝が螺設されている。その他の構成は図２に示すものと同様である。
【００１９】
図４に示すように、回転翼基盤５には、回転翼２が放射方向に設けられ、軸心には洗濯機本体に回転翼基盤５を取り付けるための装着部２３が設けられている。また、回転翼基盤５には、張り出し部１９の内周に設けられたねじ溝に螺合するねじ溝２５を備えた円周壁２４が設けられている。円周壁２４は回転翼基盤５から３乃至３．５ｃｍ程度の高さのものであり、水位の上下により発生する噴流１５を案内するために下部空間１４が設けられている。
【００２０】
また、回転翼基盤５には放射方向に本体翼３が設けられ、洗濯機本体固定槽９内で回転するようになっている。なお、回転翼２と本体翼３とは、回転翼基盤５に一体に放射方向に設けられれていてもよい。
【００２１】
そして、アタッチメント本体１の張り出し部１９の内周に設けられたねじ溝に円周壁２４のねじ溝を螺合してアタッチメント本体１と回転翼基盤５とを一体に取り付ける。なお、毛布、シーツ等の大きな洗濯物を洗濯するときは、アタッチメント本体１を取外し、回転翼基盤５の円周壁２４の開口部を閉鎖する円筒で被覆した回転翼基盤５を使用してもよい。
【００２２】
また、アタッチメント本体１と円周壁２４を備えた回転翼基盤５とを一体に成形してもよい。このような一体成形されたアタッチメントは、毛布等の大きな洗濯物以外の洗濯物を洗濯するときに使用し、毛布等の大きな洗濯物を洗濯するときは市販の洗濯機の回転翼基盤を使用するようにして交換自在にしてもよい。
【００２３】
このアタッチメント本体１を装着した洗濯機の水流の状態について説明する。本体回転翼３を嵌合するかスペーサーリング１７とは、通常、所定の間隔で正逆転している。回転翼基盤５の静止状態においては、アタッチメント本体１の水位は、洗濯機本体固定槽９内に満たされた水の水位と同じ位置である上位水準線１２に位置する。洗濯機本体回転翼基盤５が回転状態となると、アタッチメント本体１内に存在する水に遠心力が作用するととなる。遠心力が作用した水は、より外側に移動することとなる、すなわち、直径の大きい側に移動することとなる。ところで、本発明におけるアタッチメント本体１は、底部へ行くにしたがって直径が大きくなる截頭円錐形をしているので、水には当然アタッチメント本体１の底部に向かって移動させられる大きな力が作用する。したがって、アタッチメント本体１が通常の円筒形である場合には、力の大きさが小さくなり、その効果は小さくなる。
【００２４】
洗濯機本体回転翼基盤５の回転に伴って、アタッチメント本体１内の底部に向かって移動させられ洗濯水は、一挙に下部空間１４又は流通開孔１８から噴流１５として噴出する。
この噴流１５は、回転翼により発生させられる水流とは、別のベクトルを有し、かつ、その発生するタイミングについても相違するものとなる。したがって、従来のものにおいては、回転翼により発生させられる水流だけの作用を受けて捩れや絡まりが発生する傾向にある洗濯機本体固定槽９内に存在する洗濯物は、回転翼により発生させられる水流とは別のベクトル及びタイミングを有する噴流１５に相乗的にさらされることとなる。その結果、洗濯物の捩れや絡まりが防止されることとなる。アタッチメント本体１の表面は、平滑であるから、この部分では攪拌作用をしないことも、洗濯物の捩れや絡まりを防止することに有効である。
【００２５】
洗濯機本体回転翼基盤５の回転に伴って一旦下位水準線１３迄低下していた洗濯水は、該基盤５の回転の停止又は速度の低下によって、上位水準線１２の位置迄回復することとなる。その際においても前記とは逆方向の水流が発生するため、洗濯物の捩れや絡まりを防止する作用をする。
【００２６】
発明を実施するための最良の形態の基本的な点は、上記のとおりであるが、さらに詳細にその構成を説明する。下部空間１４又は流通開孔１８の大きさについては、上記したように、縦横約３ｃｍ程度のものとすることが適当であるが、大き過ぎると靴下等がアタッチメント本体１内に吸い込まれてしまうためであり、その形状を変更したり、吸い込み防止のための部材を配置することにより、その大きさの変更は可能である。また、小孔８から出入りする水流は、洗濯機本体回転翼基盤５によって発生させられる水流と別のベクトルであり、かつ、小さな多数の水流を発生させる作用をする。この水流は、洗濯そのものには大きな影響を与えるものではなので、小孔８を設けなくてもよい。小孔８の数については、あまり多くすることは、上昇流１０及び下降流１１の発生に影響を及ぼすので好ましくはない。また、その大きさについても同様の理由で比較的小径のものを選択するのが良好である。その位置については、あまり下部に設けることは適当でなく、下端から１０ｃｍ程度の間隔を置くことが効果的である。
【００２７】
なお、小孔８を設けたアタッチメント本体１の場合は、図１に示すように、下位水準線１３１は取り付けフランジから上方３ないし５ｃｍ、上位水準線１２１は上部開口６から２ないし５ｃｍ下方にあり、小孔８を設けないアタッチメント本体１の場合は、図１に示すように、下位水準線１３２は取り付けフランジから上方１０ｃｍ、上位水準線は上部開口６から溢流する。
【００２８】
上部開口６については、下部開口７から流入した水流により発生する空気の流れを抵抗なく出入りさせるためのものであるから、大きなものとする必要はない。したがって、アタッチメント本体１の全体の形状のバランスを考慮して決定すればよい。また、下部開口７は、洗濯機本体回転翼基盤５の大きさに応じて適宜選択するが、あまり大きいと容量に影響するので、このましくない。アタッチメント本体１の形状については、中空の截頭円錐形とするのが基本であるが、側面の傾斜を下部の位置ほど大きくする、いわゆる富士山形にしたり、傾斜度を大きくすることによって、遠心力の作用をさらに有効に利用することができる。それぞれの洗濯槽や回転翼の条件によって曲線の形状や傾斜度を選択すればよい。また、その表面は、平滑なものが良い。アタッチメント本体１の材質については、大きな力が作用するものではないので、適宜の合成樹脂を選択すればよい。しかし、比較的振動の影響を受けやすいので、共振を発生しやすい材質を避ける必要がある。
【実施例】
【００２９】
市販の洗濯機の洗濯機本体の回転翼基盤に実施例１に示すアタッチメント本体の取付フランジを適宜数のボルトによって取り付ける。
洗濯機本体の浴槽に洗濯物（靴下２足、ハンカチ２枚、手袋１足、夏物下着上下１対、冬物下着上下１対、バスタオル１枚、ワイシャツ１枚、計１１点）を投入し、注水時間計５分、洗濯時間８分、脱水時間２分の洗濯作業経過後、洗濯物を浴槽から取り出した。その結果、洗濯物同士の絡まり、各洗濯物のよじれは見られなかった。
一方、洗濯機本体の回転翼基盤から実施例１に示すアタッチメント本体の取付フランジからボルトを取り外した、市販の上記洗濯機によって、上記と同様の洗濯物を上記洗濯条件と同一の条件で洗濯作業経過後、洗濯物を浴槽から取り出した。その結果、洗濯物同士の絡まり、各洗濯物のよじれが見られた。
【産業上の利用可能性】
【００３０】
本発明は洗濯槽内の回転翼基盤に取り付けることによって、洗濯物の捩れや絡まりを防止するためのものであればあらゆる形式の洗濯機に利用できる。
【図面の簡単な説明】
【００３１】
【図１】洗濯機用截頭円錐形アタッチメントにおいて間隔維持用回転翼２を用いた第１実施例の全体図である。
【図２】洗濯機用截頭円錐形アタッチメントにおいてスペーサーリング１７を用いた第２実施例の全体図である。
【図３】洗濯機用截頭円錐形アタッチメントにおいてスペーサーリング１７を一体に形成した第３実施例の全体図である。
【図４】回転翼基盤に円周壁を設けて円錐形アタッチメントにねじ込み固定するようにした回転翼基盤の斜視図である。
【図５】従来技術である特許文献１に記載された図である。
【図６】従来技術である特許文献２に記載された図である。
【図７】従来技術である特許文献３に記載された図である。
【符号の説明】
【００３２】
１    截頭円錐形筒状アタッチメント本体
２    間隔維持用回転翼
３    本体翼
４    取付フランジ
５    回転翼基盤
６    上部開口
７    下部開口
８    小孔
９    洗濯機本体固定槽
１０  上昇流
１１  下降流
１２  上位水準線
１３  下位水準線
１４  下部空間
１５  水位の上下により発生する水流
１６  回転方向
１７  スペーサーリング
１８  流通開孔
１９  張り出し部
２０  螺旋
２１  軸
２２  リング
２３  装着部
２４  円周壁
２５  ねじ溝
【図１】
2005161008.tif 000003
【図２】
2005161008.tif 000004
【図３】
2005161008.tif 000005
【図４】
2005161008.tif 000006
【図５】
2005161008.tif 000007
【図６】
2005161008.tif 000008
【図７】
2005161008.tif 000009
【手続補正書】
【提出日】平成16年9月30日(2004.9.30)
【手続補正１】
【補正対象書類名】特許請求の範囲
【補正対象項目名】請求項１
【補正方法】変更
【補正の内容】
【請求項１】
洗濯槽内に位置し回転翼２を設けた回転翼基盤５に装着するアタッチメントであって、該アタッチメントは、全体形状が中空の截頭円錐形からなり、洗濯機本体固定槽内に注水される最高の水位より上方に位置する前記截頭円錐形の上端部に設けた上部開口６と、前記截頭円錐形の下端部に設け前記上部開口６より大径を有する下部開口７と、該下部開口に形成され前記アタッチメントを前記回転翼２に取り付けるためのフランジ４とからなるアタッチメント本体１と、前記回転翼基盤５と前記フランジ４との間に下部空間１４を確保すると共に、前記アタッチメント本体１内の水位の上下により発生する噴流１５を案内するための間隔維持用回転翼２とを具備したことを特徴とする洗濯機用アタッチメント。
【手続補正２】
【補正対象書類名】特許請求の範囲
【補正対象項目名】請求項２
【補正方法】変更
【補正の内容】
【請求項２】
洗濯槽内に位置し回転翼２を設けた回転翼基盤５に装着するアタッチメントであって、該アタッチメントは、全体形状が中空の截頭円錐形からなり、洗濯機本体固定槽内に注水される最高の水位より上方に位置する前記截頭円錐形の上端部に設けた上部開口６と、前記截頭円錐形の下端部に設け前記上部開口６より大径を有する下部開口７と、該下部開口に形成され、前記アタッチメント１を前記回転翼２に取り付けアタッチメント本体１内の水位の上下により発生する噴流１５を通過させる流通開孔１８を設けたフランジ４付スペーサーリング１７とからなるアタッチメント本体１を具備したことを特徴とする洗濯機用アタッチメント。
【手続補正３】
【補正対象書類名】特許請求の範囲
【補正対象項目名】請求項３
【補正方法】変更
【補正の内容】
【請求項３】
洗濯槽内に位置し回転翼２を設けた回転翼基盤５に装着するアタッチメントであって、該アタッチメントは、全体形状が中空の截頭円錐形からなり、洗濯機本体固定槽内に注水される最高の水位より上方に位置する前記截頭円錐形の上端部に設けた上部開口６と、前記截頭円錐形の下端部に設け前記上部開口６より大径を有する下部開口７と、該下部開口に形成され前記アタッチメント１を前記回転翼基盤５に取り付けるための内周に螺旋溝を設けたフランジ４付張り出し部とからなるアタッチメント本体１と、前記回転翼基盤５と前記フランジ４との間に下部空間１４を確保すると共に、アタッチメント本体１内の水位の上下により発生する噴流１５を案内するための外周に螺旋溝を設けた円周壁を形成した間隔維持用回転翼２とを具備し、前記張り出し部の螺旋溝と前記円周壁の螺旋溝とを螺合するようにしたことを特徴とする洗濯機用アタッチメント。
【手続補正４】
【補正対象書類名】明細書
【補正対象項目名】０００６
【補正方法】変更
【補正の内容】
【０００６】
請求項１の発明は、洗濯槽内に位置し回転翼２を設けた回転翼基盤５に装着するアタッチメントであって、該アタッチメントは、全体形状が中空の截頭円錐形からなり、洗濯機本体固定槽内に注水される最高の水位より上方に位置する前記截頭円錐形の上端部に設けた上部開口６と、前記截頭円錐形の下端部に設け前記上部開口６より大径を有する下部開口７と、該下部開口に形成され前記アタッチメントを前記回転翼２に取り付けるためのフランジ４とからなるアタッチメント本体１と、前記回転翼基盤５と前記フランジ４との間に下部空間１４を確保すると共に、前記アタッチメント本体１内の水位の上下により発生する噴流１５を案内するための間隔維持用回転翼２とを具備した洗濯機用アタッチメントによって課題を解決するための手段としている。
【手続補正５】
【補正対象書類名】明細書
【補正対象項目名】０００７
【補正方法】変更
【補正の内容】
【０００７】
請求項２の発明は、洗濯槽内に位置し回転翼２を設けた回転翼基盤５に装着するアタッチメントであって、該アタッチメントは、全体形状が中空の截頭円錐形からなり、洗濯機本体固定槽内に注水される最高の水位より上方に位置する前記截頭円錐形の上端部に設けた上部開口６と、前記截頭円錐形の下端部に設け前記上部開口６より大径を有する下部開口７と、該下部開口に形成され、前記アタッチメント１を前記回転翼２に取り付けアタッチメント本体１内の水位の上下により発生する噴流１５を通過させる流通開孔１８を設けたフランジ４付スペーサーリング１７とからなるアタッチメント本体１を具備した洗濯機用アタッチメントによって課題を解決するための手段としている。
【手続補正６】
【補正対象書類名】明細書
【補正対象項目名】０００８
【補正方法】変更
【補正の内容】
【０００８】
請求項３の発明は、洗濯槽内に位置し回転翼２を設けた回転翼基盤５に装着するアタッチメントであって、該アタッチメントは、全体形状が中空の截頭円錐形からなり、洗濯機本体固定槽内に注水される最高の水位より上方に位置する前記截頭円錐形の上端部に設けた上部開口６と、前記截頭円錐形の下端部に設け前記上部開口６より大径を有する下部開口７と、該下部開口に形成され前記アタッチメント１を前記回転翼基盤５に取り付けるための内周に螺旋溝を設けたフランジ４付張り出し部とからなるアタッチメント本体１と、前記回転翼基盤５と前記フランジ４との間に下部空間１４を確保すると共に、アタッチメント本体１内の水位の上下により発生する噴流１５を案内するための外周に螺旋溝を設けた円周壁を形成した間隔維持用回転翼２とを具備し、前記張り出し部の螺旋溝と前記円周壁の螺旋溝とを螺合するようにした洗濯機用アタッチメントによって課題を解決するための手段としている。
【手続補正７】
【補正対象書類名】明細書
【補正対象項目名】００１１
【補正方法】変更
【補正の内容】
【００１１】
本発明は、(１)洗濯物が、回転翼により発生させられる水流とは別のベクトル及びタイミングを有するアタッチメントの下部空間からの吐出する噴流ばかりでなく、その逆方向の下部空間へ流入する噴流に相乗的に曝されることにより、捩れや絡まりが防止することができる。
(２)上記噴流を発生させるにあたり、アタッチメントの形状を截頭円錐形としているため、アタッチメント本体内に存在する水に作用する遠心力を有効に利用できるので、噴流を発生させるための別の駆動源を必要とすることなく、洗濯機本体回転翼基盤の回転を利用するだけで所期の目的を達成できる。
(３)アタッチメントの構造がきわめて単純であり、洗濯機本体回転翼基盤への装着がネジだけで容易にできるから、すでに出荷されて使用状態にある洗濯機にも容易に装着すことができる。
(４)そのため、アタッチメント、すなわち、付属品として単体で流通させることもできる。
(５)アタッチメントに少数の小孔を穿孔するだけで、洗剤を均一に攪拌させ水に混合させることができる。
【手続補正８】
【補正対象書類名】明細書
【補正対象項目名】００２３
【補正方法】変更
【補正の内容】
【００２３】
このアタッチメント本体１を装着した洗濯機の水流の状態について説明する。回転翼基盤５の静止状態においては、アタッチメント本体１の水位は、洗濯機本体固定槽９内に満たされた水の水位と同じ位置である上位水準線１２に位置する。洗濯機本体回転翼基盤５が回転状態となると、アタッチメント本体１内に存在する水に遠心力が作用することとなる。遠心力が作用した水は、より外側に移動することとなる、すなわち、直径の大きい側に移動することとなる。ところで、本発明におけるアタッチメント本体１は、底部へ行くにしたがって直径が大きくなる截頭円錐形をしているので、水には当然アタッチメント本体１の底部に向かって移動させられる大きな力が作用する。したがって、アタッチメント本体１が通常の円筒形である場合には、力の大きさが小さくなり、その効果は小さくなる。
【手続補正９】
【補正対象書類名】明細書
【補正対象項目名】００２５
【補正方法】変更
【補正の内容】
【００２５】
洗濯機本体回転翼基盤５の回転に伴って一旦下位水準線１３迄低下していた水位は、該基盤５の回転の停止又は速度の低下によって、上位水準線１２の位置迄回復することとなる。その際、水位の低下によってアタッチメントの内部にできた空間に、槽内の洗濯水が流れ込むことによって噴出流とは逆方向の水流が発生する。つまり、洗濯物は、噴出流と逆方向の流入流とに交互に曝されることとなり、洗濯物の捩れや絡まりを防止する作用をする。
【手続補正書】
【提出日】平成17年1月21日(2005.1.21)
【手続補正１】
【補正対象書類名】特許請求の範囲
【補正対象項目名】全文
【補正方法】変更
【補正の内容】
【特許請求の範囲】
【請求項１】
洗濯槽内に位置し回転翼２を設けた回転翼基盤５に装着するアタッチメントであって、該アタッチメントは、全体形状が中空の截頭円錐形からなり、該截頭円錐形の上端には下部開口７から流出入する水流により発生する空気の流れを抵抗なく出入りさせるための上部開口６と、前記截頭円錐形の下端には下部空間１４から流出入する水流を通過させるための下部開口７と、該下部開口に形成され前記アタッチメント１を前記回転翼２に取り付けるためのフランジ４とからなるアタッチメント本体１と、前記回転翼基盤５と前記フランジ４との間に下部空間１４を確保すると共に、アタッチメント本体１内の水位の上下により発生する噴流１５を案内するための間隔維持用回転翼２とを具備し、前記アタッチメント本体１は前記回転翼基盤５に着脱自在に設けたことを特徴とする洗濯機用アタッチメント。
【請求項２】
請求項１に記載された洗濯機用截頭円錐形アタッチメントにおいて、アタッチメント本体１の高さを４０乃至４２ｃｍ程度とし、上部開口６の直径を２乃至４ｃｍ程度とし、下部開口７の直径を１２乃至１４ｃｍ程度とし、間隔維持用回転翼２の高さ又は流通開孔１８の縦横の大きさを３乃至３．５ｃｍ程度とした洗濯機用アタッチメント。
【手続補正２】
【補正対象書類名】明細書
【補正対象項目名】０００２
【補正方法】変更
【補正の内容】
【０００２】
従来、固定槽形式の洗濯槽内に筒状の回転翼を具備した洗濯機が、特開昭６０−２５３４９０号公報に記載されている。この洗濯機を図２により説明すると、この洗濯機３１は、洗濯槽内の回転翼基盤３２に筒状回転翼３３が取り付けられている。この筒状回転翼３３には、多数の通水小孔３４が穿孔されており、筒状回転翼３３が回転すると遠心力により、筒状回転翼内の洗濯水は、外側に流れるので内側の水位が下がる。この洗濯機３１においては、比較的大きく設定された筒状回転翼内に入れられた洗濯物が押し付け作用を受けるので、筒状回転翼３３の正逆転に伴いこの押し付け作用を繰り返す。しかし、この洗濯機３１の場合には、筒状回転翼３３から洗濯水が出入りするのは、前記したように多数の通水小孔３４からであるため、筒状回転翼３３の外側に存在する洗濯物には全体として緩やかな流れが作用するだけである。つまり、下部に大きな通水孔を設けた場合のように筒状回転翼３３の下部から別の水流が発生して、外側に存在する洗濯物には、回転翼３３による水流以外の積極的な水流が作用するものではない。
【手続補正３】
【補正対象書類名】明細書
【補正対象項目名】０００３
【補正方法】変更
【補正の内容】
【０００３】
また、図３に示す截頭円錐形の回転翼を具備した洗濯機は、特開平３−２７６０９４号公報に記載されている。しかし、この洗濯機４１の回転翼４２は、中実のものであって、空洞がないため、洗濯水４３が内外に流通するものではない。
【手続補正４】
【補正対象書類名】明細書
【補正対象項目名】０００４
【補正方法】変更
【補正の内容】
【０００４】
更に、図４に示す中空截頭円錐形の回転翼を具備した洗濯機は、特開平６−３１９８９０号公報に記載されている。そして、この洗濯機の回転翼５１には、下部に取水孔５２が穿孔されている。しかし、この取水孔５２は、回転翼５１の内部に設けられた羽根車５３により吸引した洗濯水を回転翼５１の上部より吐出させるにあたり、取水するための小さなものであって、この取水孔５２から逆に水が噴出して洗濯物に積極的な水流が作用ものではない。
【特許文献１】特開昭６０−２５３４９０号公報
【特許文献２】特開平３−２６７０９４号公報
【特許文献３】特開平６−３１９８９０号公報
【手続補正５】
【補正対象書類名】明細書
【補正対象項目名】０００６
【補正方法】変更
【補正の内容】
【０００６】
請求項１の発明は、洗濯槽内に位置し回転翼２を設けた回転翼基盤５に装着するアタッチメントであって、該アタッチメントは、全体形状が中空の截頭円錐形からなり、該截頭円錐形の上端には下部開口７から流出入する水流により発生する空気の流れを抵抗なく出入りさせるための上部開口６と、前記截頭円錐形の下端には下部空間１４から流出入する水流を通過させるための下部開口７と、該下部開口に形成され前記アタッチメント１を前記回転翼２に取り付けるためのフランジ４とからなるアタッチメント本体１と、前記回転翼基盤５と前記フランジ４との間に下部空間１４を確保すると共に、アタッチメント本体１内の水位の上下により発生する噴流１５を案内するための間隔維持用回転翼２とを具備し、前記アタッチメント本体１は前記回転翼基盤５に着脱自在に設けた洗濯機用アタッチメントによって課題を解決するための手段としている。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
請求項２の発明は、請求項１に記載された洗濯機用截頭円錐形アタッチメントにおいて、アタッチメント本体１の高さを４０乃至４２ｃｍ程度とし、上部開口６の直径を２乃至４ｃｍ程度とし、下部開口７の直径を１２乃至１４ｃｍ程度とし、間隔維持用回転翼２の高さ又は流通開孔１８の縦横の大きさを３乃至３．５ｃｍ程度とした洗濯機用アタッチメントによって課題を解決するための手段としている。
【手続補正９】
【補正対象書類名】明細書
【補正対象項目名】００１０
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２８
【補正方法】変更
【補正の内容】
【００２８】
上部開口６については、下部開口７から流入した水流により発生する空気の流れを抵抗なく出入りさせるためのものであるから、大きなものとする必要はない。したがって、アタッチメント本体１の全体の形状のバランスを考慮して決定すればよい。また、下部開口７は、洗濯機本体回転翼基盤５の大きさに応じて適宜選択するが、あまり大きいと容量に影響するので、好ましくない。アタッチメント本体１の形状については、中空の截頭円錐形とするのが基本であるが、側面の傾斜を下部の位置ほど大きくする、いわゆる富士山形にしたり、傾斜度を大きくすることによって、遠心力の作用をさらに有効に利用することができる。それぞれの洗濯槽や回転翼の条件によって曲線の形状や傾斜度を選択すればよい。また、その表面は、平滑なものが良い。アタッチメント本体１の材質については、大きな力が作用するものではないので、適宜の合成樹脂を選択すればよい。しかし、比較的振動の影響を受けやすいので、共振を発生しやすい材質を避ける必要がある。
【手続補正１９】
【補正対象書類名】明細書
【補正対象項目名】００３１
【補正方法】変更
【補正の内容】
【００３１】
【図１】洗濯機用截頭円錐形アタッチメントにおいて間隔維持用回転翼２を用いた実施例の全体図である。
【図２】従来技術である特許文献１に記載された図である。
【図３】従来技術である特許文献２に記載された図である。
【図３】従来技術である特許文献３に記載された図である。